(57)【要約】【課題】  様々な種類の番組について記録に関する制限を与え、記録媒体の空き容量が無くなるという問題の発生を抑えることができる記録再生装置を提供する。【解決手段】  予約情報テーブル１０には、各録画予約番組のチャンネル番号、録画開始時刻、録画終了時刻、及び属性１５を含む予約情報２０１が記録されている。グループ情報テーブル２０には各グループ毎の総容量設定値２２を含むグループ情報３０１が記録されている。ＭＰＵ１０５は、同一グループの録画番組の合計データ量が、該グループの容量設定値２２を超える場合、該グループの録画済番組を選択的に消去する（ＳＴ１１１）。【選択図】    図６
2005190560.tif 000002
【特許請求の範囲】
【請求項１】
各録画予約番組のチャンネル番号、録画開始時刻、録画終了時刻、及び属性を含む予約情報を格納する手段と、
各属性毎の総容量設定値を含む属性情報を格納する手段と、
予約された番組を前記予約情報に基づいて、前記属性と共に記録する記録手段と、
同一属性の録画番組の合計データ量が、該属性の前記総容量設定値を超える場合、前記記録手段により記録された該属性を有する録画済番組を選択的に消去する消去手段と、
を具備することを特徴とする記録再生装置。
【請求項２】
前記消去手段は、前記総容量設定値を超える前記属性の録画番組のうち、既に再生されている録画番組を消去することを特徴とする請求項１記載の記録再生装置。
【請求項３】
前記消去手段は、前記既に再生されている録画番組のうち、再生された日時が最も古い番組を消去することを特徴とする請求項２記載の記録再生装置。
【請求項４】
前記消去手段は、前記既に再生されている録画番組のうち、再生された割合が最も大きい番組を消去することを特徴とする請求項２記載の記録再生装置。
【請求項５】
前記消去手段は、前記総容量設定値を超える前記属性の録画番組のうち、予約日時、録画日時、又は再生日時の最も古い録画番組を消去することを特徴とする請求項１記載の記録再生装置。
【請求項６】
前記消去手段は、前記総容量設定値を超える前記属性の録画番組の中から、消去候補を提示し、該提示した消去候補のうち、ユーザにより選択された録画番組を消去することを特徴とする請求項１記載の記録再生装置。
【請求項７】
前記属性情報は属性毎の保存期間設定値を含み、
前記記録手段により記録された番組の保存期間が、該番組の属性情報として格納されている前記保存期間設定値を超えた場合、該録画された番組を消去する手段を更に具備することを特徴とする請求項１記載の記録再生装置。
【請求項８】
各録画予約番組のチャンネル番号、録画開始時刻、録画終了時刻、及び属性を含む予約情報を格納する手段と、
各属性毎の保存期間設定値を含む属性情報を格納する手段と、
予約された番組を前記予約情報に基づいて、前記属性と共に記録する手段と、
該番組の属性情報として格納されている前記保存期間設定値を超えて保存されている録画番組を消去候補として提示し、該提示した消去候補のうち、ユーザにより選択された録画番組を消去する手段と、
を具備することを特徴とする映像記録再生装置。
【発明の詳細な説明】
【技術分野】
【０００１】
本発明は映像情報を記録再生する装置に関し、特に記録残量を確保できる記録再生装置に関する。
【背景技術】
【０００２】
映像情報、音声情報、及び制御情報等の情報を記録媒体に記録、及び該記録媒体からそれら情報を再生する映像記録装置では、録画開始日時／録画終了日時、録画コンテンツ（番組）及び記録レートなどの予約情報が、装置本体又は付属するリモコン装置から設定されることで、録画予約された日時に、所定の記録レートで希望（設定）した録画コンテンツが記録される。
【０００３】
近年では、Ｇコードと呼ばれる録画予約コードをリモコン等の入力装置から記録再生装置に入力することにより、録画（放送）開始日時／録画（放送）終了日時及び放送チャンネル等の録画ソースを特定できる。従って、記録再生装置に入力すべき録画予約情報の量を低減することができる。
【０００４】
このような映像記録再生装置では、録画された番組を消去せずに録画を繰り返すと、当然のことながら記録媒体の録画残量（空き容量）が減少し、遂には録画不可能となる。下記特許文献には録画された番組を自動的に消去削除する技術が開示されている。
【特許文献１】特開２００２−３３５４７６号公報
【発明の開示】
【発明が解決しようとする課題】
【０００５】
上記特許文献では、周期的に放送される放送番組が上書きされる。従って、周期的に放送されていない番組は、上書き（消去）されないので録画を行う毎に記録媒体の残量は減少し、遂には録画不可能となる。
【０００６】
従って本発明は周期的に放送されない様々な種類の番組について記録に関する制限を与え、記録媒体の空き容量が無くなるという問題の発生を抑えることができる記録再生装置を提供することを目的とする。
【課題を解決するための手段】
【０００７】
本発明の１実施形態に係る記録再生装置は、各録画予約番組のチャンネル番号、録画開始時刻、録画終了時刻、及び属性を含む予約情報を格納する手段と、各属性毎の総容量設定値を含む属性情報を格納する手段と、予約された番組を前記予約情報に基づいて、前記属性と共に記録する記録手段と、同一属性の録画番組の合計データ量が、該属性の前記総容量設定値を超える場合、前記記録手段により記録された該属性を有する録画済番組を選択的に消去する消去手段とを具備する。
【発明の効果】
【０００８】
様々な種類の番組について記録に関する制限を与え、記録媒体の空き容量が無くなるという問題の発生を抑えることができる記録再生装置を提供できる。
【発明を実施するための最良の形態】
【０００９】
以下、図面を参照しながら本発明の実施の形態について詳細に説明する。
【００１０】
図１は本発明の一実施形態に係る映像記録装置１の構成を示すブロック図である。映像記録装置１は、入力映像情報を所定の記録媒体に記録し、再生指示に応じて既に記録されている映像情報を再生する記録再生部１０４、記録再生部１０４への記録及び記録再生部１０４からの再生、及び以下に説明する各部の動作を制御するマイクロコンピュータ（ＭＰＵすなわち主制御装置）１０５を有する。
【００１１】
記録再生部１０４は、例えばＤＶＤ(Digital Versatile Disk)規格に準拠して製造されたディスクＤに、情報の記録及び再生が可能なディスクドライブユニット１０４ａ、ディスクドライブユニット１０４ａにセットされたディスクＤに記録されるデータあるいはディスクＤから再生されたデータの一定量を一時的に保持可能なバッファリングメモリとして機能する一時記録部１０４ｂ、大容量データを記録可能なＨＤＤ１０４ｄ、及びデータプロセッサ１０４ｃを含む。
【００１２】
データプロセッサ１０４ｃは、ＭＰＵ１０５の制御に従って、エンコーダ部１０３から出力された記録データをディスクドライブ１０４ａに供給したり、ディスクＤの再生信号をディスクドライブ１０４ａから取り込み、デコーダ部１０６に供給する。又データプロセッサ１０４ｃは、ＭＰＵ１０５の制御に従って、エンコーダ部１０３から出力された記録データをＨＤＤ１０４ａに供給したり、ＨＤＤ１０４ａからの再生信号をデコーダ部１０６に供給する。更にデータプロセッサ１０４ｃは、ＭＰＵ１０５の制御に従って、ディスクＤあるいはＨＤＤ１０４ａに記録された管理情報を書き替えたり、記録されたデータの削除を行う。
【００１３】
尚、一時記録部１０４ｂは、具体的には、記録途中でディスクの記録容量を使い切ってしまった場合において、ディスクＤが記録容量の残っているディスクに交換されるまでの間、記録対象である情報を、一時記憶しておくことに利用できる。ディスクＤは例えば追記録可能なＤＶＤ−Ｒ、書換え可能なＤＶＤ-ＲＡＭ等の記録可能光ディスクとする。
【００１４】
エンコーダ部１０３は入力された映像信号をエンコードして圧縮する。エンコーダ部１０３には、記録対象である映像信号を外部から入力するためのＡＶ入力端子１０１、及び例えば放送事業者等に代表される情報配信者から配信される映像及び音声が受信可能なチューナ１０２が接続されている。
【００１５】
デコーダ部１０６は記録再生部１０４から出力された映像情報をデコードして伸長する。デコーダ部１０６には、（デコーダ部１０６により）デコードされた再生情報を、テレビ等の再生装置に供給するためのＡＶ出力端子１０７が接続されている。
【００１６】
ＭＰＵ１０５には又、タイマーマイコン１０９が接続され、タイマーマイコン１０９は、映像記録装置１の時間管理に利用されるタイマー回路（時計ユニット）１０９ａを有している。タイマーマイコン１０９には、ユーザからの操作（指示）を受け付けるユーザ操作入力部１１０が接続されている。
【００１７】
ＭＰＵ１０５には又、ユーザ操作入力部１１０及び録画予約情報等を保持可能なメモリ１１１が接続されている。
【００１８】
ＭＰＵ１０５は、メモリ１１１に記録されている制御プログラムに従い、ディスクＤに対する情報記録再生及び削除、ユーザ操作入力部１１０を介して入力された録画予約情報に対応する録画動作、表示部１０８を用いた表示動作等を制御する。
【００１９】
タイマーマイコン１０９は、タイマー回路（時計ユニット）１０９ａ及び録画予約情報テーブル１１１ａをモニタしながら録画予約情報を管理し、録画予約開始時刻に達した時点でＭＰＵ１０５に録画開始指示、及び録画予約終了時刻に達した時点でＭＰＵ１０５に録画終了指示を出力する。
【００２０】
ユーザ操作入力部１１０によりユーザは、録画、再生、録画予約情報の入力及び録画予約情報の変更等が可能である。又操作入力部１１０は、図示しないリモコン（リモートコントロール端末）から送信された制御信号を受け入れるデータ受信部１１０ｂ、ユーザからの直接入力を受付け制御信号をタイマーマイコン１０９へ出力可能な操作パネル１１０ａを含む。
【００２１】
図２は本発明に係る予約情報テーブル及びグループ情報テーブルの概要構成を示す図である。従来の映像記録再生装置では、録画を繰り返すとＨＤＤのような記録部の残量（空き容量）が少なくなり、やがて録画できなくなる。これを回避するため本実施形態では、録画される番組に属性すなわちグループ名を設定し、各グループについて保存期間や記録容量を別途設定し、この記録容量の範囲内で繰り返し上書きを行うことで、残量がなくなることを防ぐ。
【００２２】
図２に示すように、予約情報テーブル１０はユーザがリモコン等を用いて設定する予約情報により構成される。予約情報テーブル１０には、予約番組のチャンネル番号、録画開始時刻等の通常の予約情報の他に、本実施形態に係るグループ名１５を設定することができる。グループ情報テーブル２０は各グループに割り当てられたＨＤＤ１０４ｄの容量（時間）設定値２２を含む。
【００２３】
図３Ａ及び３Ｂは各グループの容量設定形式を示す図、図４は各グループにおいて、録画された番組のデータ量が容量設定値を超過した時の番組の消去方法の概念を示す図である。
【００２４】
図３Ａの場合、ＨＤＤ１０４ａ内に各グループについて領域が設けられる。つまり、各グループについて設定された容量に対応するＨＤＤ１０４ｄのアドレス領域（ＡＤＲ−ａ〜ＡＤＲ−ｂ）が設定される。ここで符号４０は番組が視聴（再生）された割合（後述される）を示す。一方、図３Ｂの場合は、ＨＤＤ１０４ａにおけるアドレス領域を特に設けず、各グループに属する録画番組の総容量が設定される。必要に応じてどちらの形式を採用しても良い。
【００２５】
例えば図３Ｂのように、スポーツのグループとして番組ＣＮＴ１〜ＣＮＴ３が録画され、最後に番組ＣＮＴ４が録画された結果、記録済み番組の総データ量がスポーツのグループに割り当てられた容量を超えたとする。この場合は図４のように、例えば既に再生された番組の中で、保存期間の最も長い番組あるいは再生された割合４０が最も大きな番組が優先的に消去される。
【００２６】
本発明の実施形態では、録画された番組を消去するパターンとして以下の４つを設定することができる。
【００２７】
１．録画が終了したとき、容量を超えたグループにおける番組を選択的に消去する。
【００２８】
２．録画を始める前に、容量を超えたグループにおける番組を選択的に消去する。
【００２９】
３．録画を始める前に、これから録画する番組もあわせて容量を超えたグループにおける番組を選択的に消去する。
【００３０】
４．上記１と２の組み合わせ。
【００３１】
図５は予約情報テーブル１０の詳細を示す図、図６はグループ情報テーブル２０の詳細を示す図である。
【００３２】
図５に示すように、予約情報テーブル１０に登録される予約録画番組の各予約情報２０１、２０２、２０３、…としては、チャンネル番号１１、録画開始時刻１２、録画終了時刻１３、タイトル１４、グループ名１５、消去防止１７等の予約情報項目が含まれる。各予約情報２０１、２０２、２０３、…は予約された番組の映像情報が例えばＨＤＤに記録されるとき、該映像情報と共にＨＤＤに記録される。従って録画された番組の予約情報はＨＤＤを用いて確認することができる。
【００３３】
グループ名１５は各予約番組の属性であって、このグループ名１５を例えば”スポーツ”のように設定できる。消去防止１６は後述される消去条件に従って自動的に消去しても良いか否かを示す項目である。
【００３４】
図６に示すように、グループ情報テーブル２０に登録される各グループ情報３０１、３０２、…は、グループ２１、容量（再生時間）設定値２２、消去方法２３、自動消去２４、割合の消去条件２５ａ、割合設定値２５ｂ、再生日時／予約日時２６、消去防止２７、保存期間設定値２８等の属性情報を含む。このようにグループ情報テーブル２０には属性情報が記録される。
【００３５】
グループ２１は各グループ情報を区別するための識別情報である。容量設定値２２は、各グループに割り当てられた録画容量を再生時間（放送時間）で示す値である。１つの番組を例えばＭＰＥＧ２方式で圧縮して記録する場合、使用される記録容量は圧縮レートに応じて変化する。ここでは番組の記録に使用される記録容量を番組が放送された時間長、つまり録画された番組の再生時間により表す。また、時間ではなくディスク容量を設定値として与えても良い。消去方法２３は前述した４つの消去パターンのうち１つを設定できる。自動消去２４は容量設定値２２が録画データにより超過された場合に、後述される自動消去の条件に基づいて、自動的に消去するか否かを設定するための項目である。再生日時／予約日時２６は、録画された番組の古さを、その番組が再生された日時を基に算出するか、予約録画された日時を基に算出するかを決める項目である。消去防止２７は当該グループに属する全録画番組について消去を防止（禁止）するための項目である。保存期間設定値２８は録画された番組の保存期間を各グループについて制限するための項目である。これらの項目はユーザによりユーザ操作入力部１１０を介して設定される。    
図７は予約情報設定画面の一例を示す図である。番組を予約する場合、図７に示すような予約情報設定画面がテレビジョン受信機のモニタ画面等に表示される。この予約情報設定画面には、図５に示される予約情報項目１１〜１６を含む情報が表示される。予約情報設定画面を見ながらユーザはユーザ操作入力部１１０（又はリモコン）を用いて番組を予約する。
【００３６】
図８は録画予約時の動作を示すフローチャートである。ここでは、放送された番組をＨＤＤ１０４ｄに予約録画する場合を説明する。
【００３７】
ユーザ操作入力部１１０を介してユーザから録画予約指示を受信すると、ＭＰＵ１０５は録画予約モードに入る（ＳＴ１０１）。例えばＭＰＵ１は予約情報設定画面の映像信号をデコーダ部１０６からＡＶ出力端子１０７に出力する。この結果、記録再生装置１に接続されているテレビジョン受信機のモニタ画面に図７に示したような予約情報設定画面が表示される。
【００３８】
ユーザはモニター画面に表示された予約情報設定画面を見ながら各予約情報項目を設定し、ＭＰＵ１０５はユーザの設定内容を予約情報設定画面に表示する（ＳＴ１０２）。
【００３９】
ＭＰＵ１０５は設定されたチャンネル番号１１、録画開始時刻１２、録画終了時刻１３を参照して、予約された番組が放送される時間帯に、既に録画予約された番組の放送時間帯が重ならないか、及びＨＤＤ１０４ｄに十分な空きスペースがあるか判断する（ＳＴ１０３）。番組が重なっているか又はＨＤＤ１０４ｄに空きスペースがない場合（Ｎｏの場合）、ＭＰＵ１０５はユーザにその旨を例えば予約情報設定画面を使用して知らせ、予約情報の変更あるいは録画番組の消去をユーザに促し、フローはステップ１０２に戻る。
【００４０】
番組放送時間の重なりがなく、及びＨＤＤ１０４ｄに十分な空きスペースがある場合（ＳＴ１０３でＹｅｓの場合）、ＭＰＵ１０５は設定されたグループのデータ量がグループ情報テーブル２０で登録されている容量設定値２２を超えているか判断する（ＳＴ１０４）。容量設定値２２を超えていない場合（Ｎｏの場合）、ＭＰＵ１０５は設定された予約情報をメモリ１１１に格納（登録）する（ＳＴ１０５）。
【００４１】
設定されたグループのデータ量が容量設定値２２を超えている場合（ステップＳＴ１０４でＹｅｓの場合）、ＭＰＵ１０５はグループ情報テーブル２０の自動消去２４を参照して、番組の消去が自動消去に設定されているか判断し（ＳＴ１０６）、自動消去に設定されていない場合（Ｎｏの場合）、当該グループに割り当てられた録画容量に、空き容量が無いことをユーザに知らせ（ＳＴ１０７）、該グループに属する録画済番組の消去候補を表示し、ユーザによる選択及び消去指示を促す（ＳＴ１０８）。この表示に応じてユーザは番組の選択及び消去を指示し、ＭＰＵ１０５は選択された番組を消去する（ＳＴ１０９）。
【００４２】
更にＭＰＵ１０５は、当該グループの録画された番組のデータ量がグループ情報テーブル２０で登録されている容量設定値２２を超えているか再び判断し（ＳＴ１１０）、超えていない場合（Ｎｏの場合）、設定された予約情報をメモリ１１１に登録する（ＳＴ０５）。依然として超えている場合（ＳＴ１１０でＹｅｓの場合）、フローはステップ１０８に戻り、録画された番組（以下録画番組という）の消去候補が表示される。当該グループの録画に使用されたデータ量（以下データ量という）が対応する容量設定値２２を下回るまでステップ１０９の消去が繰り返される。
【００４３】
尚、ステップＳＴ１０４では、予約された番組を録画した場合に、当該グループのデータ量がグループ情報テーブル２０で登録されている容量設定値２２を超えるか否か予め判断してもよい。
【００４４】
一方、ステップ１０６でＹｅｓの場合、ＭＰＵ１０５は当該グループに属する録画番組を選択的に消去する（ＳＴ１１１）。図９及び１０はＭＰＵ１０５によるステップ１１１の選択的消去の詳細を示すフローチャートである。
【００４５】
先ずＭＰＵ１０５はグループ情報テーブル２０の消去防止２７を参照して、当該グループに消去防止が設定（ＯＮ）されているか判断する（ＳＴ２０１）。消去防止が設定されている場合（Ｙｅｓの場合）、ＭＰＵ１０５は当該グループに消去防止が設定されていることを、ＴＶモニタ等を用いて表示し（ＳＴ２０２）、更にグループ情報を再設定するか否かユーザに問い合わせる（ＳＴ２０３）。グループ情報の再設定がユーザにより選択された場合（Ｙｅｓの場合）、ＭＰＵ１０５はグループ情報の設定画面（図示されず）をＴＶモニタ等に表示して、当該グループのグループ情報の再設定をユーザ指示に基づいて行う（ＳＴ２０４）。その後、フローはステップ１０２へ戻り、番組予約が再開される。
【００４６】
登録されたグループに消去防止が設定されていない場合（ＳＴ２０１でＮｏの場合）、ＭＰＵ１０５は予約情報テーブル１０の消去防止１６の項目を参照して、当該グループに属する録画番組から、消去防止が設定されていない番組を抽出する（ＳＴ２０５）。消去防止が設定されていない録画番組がない場合（ＳＴ２０６でＮｏの場合）、ＭＰＵ１０５は消去できる録画番組がないことをＴＶモニタ等を用いて表示する（ＳＴ２０７）。この後の処理（ＳＴ２０３、ＳＴ２０４）は前述した通りである。
【００４７】
消去防止が設定されていない録画番組がある場合（ＳＴ２０６でＹｅｓの場合）、フローはステップ２０７へ移行し、ＭＰＵ１０５はユーザが録画番組を視聴した即ち再生した割合を消去条件として設定しているか、グループ情報テーブル２０の”割合の消去条件２５ａ”を参照して判断する。割合の消去条件２５ａがＯＮとなっている場合（Ｙｅｓの場合）、ＭＰＵ１０５は再生した割合４０（図３参照）を基に、録画番組を配列し、再生の”割合設定値２５ｂ”に設定されている割合（例えば９０％）を基に番組をソートする（ＳＴ２０８）。図１１は番組をソートした結果の一例を示す。ここでは、録画番組ＣＮＴ１〜ＣＮＴ５のうち、再生した割合が９０％以上の番組が番組ＣＮＴ２、ＣＮＴ５、９０％より小さい番組が番組ＣＮＴ１、ＣＮＴ４、ＣＮＴ６、ＣＮＴ３とソートされている。
【００４８】
ＭＰＵ１０５はグループ情報テーブル２０の再生の割合設定値２５ｂに設定されている割合以上の録画番組を視聴済みの番組と見なし、”再生日時／予約日時２６”の選択結果を参照して、視聴済みの番組のうち再生した日時又は予約した日時の最も古い番組を消去する（ＳＴ２０９、ＳＴ２１０）。一方、視聴済みの番組がない場合（ステップ２０９でＮｏの場合）、ＭＰＵ１０５は、再生した割合が最も大きい番組を消去する（ＳＴ２１１）。又、ユーザが再生した割合を消去条件に入れていない場合（ＳＴ２０７でＮｏの場合）、ＭＰＵ１０５は録画した時刻又は再生した時刻が最も古い番組を消去する（ＳＴ２１３）。
【００４９】
ステップ２１０又は２１１又は２１３のように１つの録画番組を消去した後、ＭＰＵ１０５は当該グループのデータ量がグループ情報テーブル２０で登録されている容量設定値２２を超えているか判断する（ＳＴ２１２）。容量設定値２２を超えていない場合（Ｎｏの場合）、フローは図８のステップ１０５へ移行し、依然として容量設定値２２を超えている場合（Ｙｅｓの場合）、フローは図９のステップ２０６に戻る。このようにして、当該グループのデータ量が容量設定値２２以下となるまで、録画番組の消去が実行される。
【００５０】
以上説明したように、様々なグループ（種類）の番組の各グループについて記録に関する制限（容量設定値など）を与えることで、ＨＤＤ等の記録媒体の空き容量が無くなるという問題の発生を抑えることができる。
【００５１】
次に本発明の第２の実施形態を説明する。本実施形態では、容量設定値を超えたグループに属する録画番組の消去が、録画予約時ではなく、録画実行時に行われる。  図１２は予約録画実行時の動作を示すフローチャートである。
【００５２】
ユーザにより予約された番組の放送が開始する直前に、タイマーマイコン１０９から録画開始指示を受信すると、ＭＰＵ１０５は予約情報テーブル１０を参照して、予約された番組のグループを確認し（ＳＴ３０１）、該グループのデータ量がグループ情報テーブル２０で登録されている容量設定値２２を超えているか判断する（ＳＴ３０２）。当該グループのデータ量が容量設定値２２を超えていない場合（Ｎｏの場合）、ＭＰＵ１０５は録画開始位置を決定し（ＳＴ３０４）、予約された時刻になったら、決定した開始位置から番組の録画を開始する（ＳＴ３０５）。予約番組の録画終了時刻になると、ＭＰＵ１０５はタイマーマイコン１０９により録画終了指示を受信し、予約された番組の録画を終了する（ＳＴ３０６）。
【００５３】
一方、当該グループのデータ量が容量設定値２２を超えている場合（ＳＴ３０２でＹｅｓの場合）、ＭＰＵ１０５は当該グループに属する録画番組を選択的に消去する（ＳＴ３０３）。
【００５４】
図１３は予約録画実行時の選択的消去２を示すフローチャートである。このフローチャートは第１の実施形態における図９と同様であるが、図９のステップ２０２〜２０４及びステップ２０７が、ステップ４０１に変更されている。即ち、消去防止の設定により消去できる録画番組がない場合、ＭＰＵ１０５は設定されたグループによらずに（無視して）、予約された番組の録画開始位置を決定して（ＳＴ４０１）、予約番組の録画を行う（ＳＴ３０５、ＳＴ３０６）。この場合、ＭＰＵ１０５は記録再生装置１の前面パネルに設けられた表示部１０８あるいはＬＥＤ（図示されず）を用いて、エラーが発生したことを表示する。尚、この場合でもＨＤＤ１０４ｄへの予約番組の録画は行われる。
【００５５】
本実施形態によれば、録画番組の選択的消去が番組録画時に行われるので、予約時に必要となるユーザ操作が減少する。
【００５６】
次に本発明の第３の実施形態を説明する。
【００５７】
第３の実施形態に係る動作を図１４に、予約情報テーブルを図１５に、グループ情報テーブルを図１６に示す。本実施形態では、図１５及び図１６に示すように、録画番組の消去を防止するための消去防止１６、及びグループに属する全録画番組の消去を防止するための消去防止２６の機能が設けられていない。ユーザが指定したグループに属する録画番組の総データ量が、容量設定値２２を超えると、当該グループのいずれかの録画番組が消去される。
【００５８】
図１４に示すフローチャートは図８に示す第１の実施形態のフローチャートと同様であるが、ステップ５０１が追加され、ステップ１１２がステップ５０２に変更されている。即ち、ステップ５０１のように、番組にグループが設定されていなかった場合（Ｎｏの場合）、該番組はＨＤＤ１０４ｄに記録された後、ステップ５０２のような選択的消去の対象あるいはステップ１０８のような削除候補とはならない。又、ステップ１０６のように録画番組について自動消去２４が設定（ＯＮ）されていた場合（Ｙｅｓの場合）、ＭＰＵ１０５はステップ５０２のグループに属する録画番組の選択的消去３を実行する。
【００５９】
図１７はステップ５０２のグループに属する録画番組の選択的消去３を示すフローチャートである。このフローチャートは図１０のフローチャートと同様であるが、ステップ２１２の移行先が異なっている。即ち、当該グループに属する録画番組の全データ量が、該グループの容量設定値２２を超えている場合（ＳＴ２１２でＹｅｓの場合）、フローはステップ２０６へ移行する。この結果、いずれかの録画番組がステップ２１０、２１１、又は２１３のように消去される。
【００６０】
このように本実施形態では、消去防止１６及び消去防止２６が設けられていないので、記録再生装置の使い勝手が向上する。
【００６１】
次に本発明の第４の実施形態を説明する。
【００６２】
図１８は第４の実施形態の動作を示すフローチャートである。第４の実施形態では、ステップ５０２のグループに属する録画番組の選択的消去３が録画実行時に行われる。又第４の実施形態は、録画番組の消去を防止するための消去防止１６、グループに属する全録画番組の消去を防止するための消去防止２６、及び自動消去２４の機能が設けられていない。図１８のフローチャートは図１２のフローチャートと比べ、ステップ３０３がステップ５０２に変更されたこと以外は同様である。従って詳細な説明は省略する。本実施形態によれば、録画番組の選択的消去が番組録画時に行われるので、予約時に必要となるユーザ操作が減少する。
【００６３】
図１９は上記第４の実施形態の変形例を示すフローチャートである。このフローチャートは図１８に示した第４の実施形態と比べ、ステップ５０２の当該グループに属する録画番組の選択的消去３が予約録画を実行した後に行われること以外は同様である。従って詳細な説明は省略する。このように、録画を実行した後でも当該グループに属する録画番組の選択的消去を行うことができるので、装置設計に関する自由度が増加する。
【００６４】
次に本発明の第５の実施形態を説明する。第５の実施形態では、保存期間設定値２８を超えて保存されている録画番組が、ユーザ指示に基づいて消去される。  図２０は第５の実施形態の動作を示すフローチャートである。ステップ１０１〜１０３、５０４、１０５は図１４のフローチャートと同様である。ステップ６０１〜６０４が本実施形態に係るステップである。
【００６５】
番組予約時において、当該グループの中に保存期間設定値２８を超えているものがあることが判明した場合（ＳＴ６０１でＹｅｓの場合）、ＭＰＵ１０５は保存期間設定値を超えて保存されている録画番組があることをＴＶモニタ等によりユーザーに知らせる（ＳＴ６０２）。更にＭＰＵ１０５は保存期間設定値を超えて保存されている録画番組を消去候補として表示する（ＳＴ６０３）。ＭＰＵ１０５は、この表示に応じてユーザが選択した番組を削除する（ＳＴ６０４）。尚、消去候補として表示してもユーザが選択しなかった録画番組がある場合、そのような録画番組は例えばグループ指定を解除しても良い。これにより、当該録画番組は消去候補として表示されなくなる。
【００６６】
このように第５の実施形態によれば、保存期間設定値２８を超えて保存されている録画番組を、ユーザ指示に基づいて消去できるので、安全にＨＤＤ１０４ｄの空き容量を増やすことができる。
【００６７】
以上の説明はこの発明の実施の形態であって、この発明の装置及び方法を限定するものではない。又、各実施形態における構成要素、機能、特徴あるいは方法ステップを適宜組み合わせて構成される装置又は方法も本発明に含まれるものである。例えば、第５実施形態におけるステップ６０１〜６０４を図１４の実施形態に組み込んで実施することができるのは明らかである。
【図面の簡単な説明】
【００６８】
【図１】本発明の一実施形態に係る映像記録装置１の構成を示すブロック図である。
【図２】本発明の実施形態に係る予約情報テーブル及びグループ情報テーブルの概要構成を示す図である。
【図３Ａ】各グループの容量設定形式を示す図である。
【図３Ｂ】各グループの他の容量設定形式を示す図である。
【図４】各グループにおいて、録画された番組のデータ量が容量設定値を超過した時の番組の消去方法の概念を示す図である。
【図５】予約情報テーブル１０の詳細を示す図である。
【図６】グループ情報テーブル２０の詳細を示す図である。
【図７】予約情報設定画面の一例を示す図である。
【図８】録画予約時の動作を示すフローチャートである。
【図９】ＭＰＵ１０５による選択的消去の詳細を示すフローチャートである。
【図１０】ＭＰＵ１０５による選択的消去の詳細を示すフローチャートである。
【図１１】番組をソートした結果の一例を示す図である。
【図１２】予約録画実行時の動作を示すフローチャートである。
【図１３】予約録画実行時の番組削除動作を示すフローチャートである。
【図１４】第３の実施形態に係る動作を示すフローチャートである。
【図１５】第３の実施形態に係る予約情報テーブルである。
【図１６】第３の実施形態に係るグループ情報テーブルである。
【図１７】第３の実施形態に係る録画番組の選択的消去を示すフローチャートである。
【図１８】第４の実施形態の動作を示すフローチャートである。
【図１９】第４の実施形態の変形例を示すフローチャートである。
【図２０】第５の実施形態の動作を示すフローチャートである。
【符号の説明】
【００６９】
１…記録再生装置、１０１…映像信号入力端子、１０２…ＴＶチューナ、１０３…エンコーダ部、１０４…記録再生部、１０５…マイクロプロセッサユニット、１０６…デコーダ部、１０７…映像出力端子、１０８…表示部、１０９…タイマーマイコン、１１０…利用者操作入力部、１１１…メモリ。
【図１】
2005190560.tif 000003
【図２】
2005190560.tif 000004
【図３Ａ】
2005190560.tif 000005
【図３Ｂ】
2005190560.tif 000006
【図４】
2005190560.tif 000007
【図５】
2005190560.tif 000008
【図６】
2005190560.tif 000009
【図７】
2005190560.tif 000010
【図８】
2005190560.tif 000011
【図９】
2005190560.tif 000012
【図１０】
2005190560.tif 000013
【図１１】
2005190560.tif 000014
【図１２】
2005190560.tif 000015
【図１３】
2005190560.tif 000016
【図１４】
2005190560.tif 000017
【図１５】
2005190560.tif 000018
【図１６】
2005190560.tif 000019
【図１７】
2005190560.tif 000020
【図１８】
2005190560.tif 000021
【図１９】
2005190560.tif 000022
【図２０】
2005190560.tif 000023